(57)【特許請求の範囲】
【請求項１】
送風機の排気口に取り付けられる筒状をなす取り付け部と、前記送風機により吸引された粉塵を集塵すると共に送風された風は通過させるべく送風方向に所定の長さを備えた円筒状に膨出する膨出集塵部と、を備え、前記取り付け部の径はφ３３０ｍｍで、前記膨出集塵部の長手方向の長さが３ｍの集塵袋において、
膨出集塵部は、送風方向の長さが前記の集塵袋における膨出集塵部の長さの半分長とされ、かつ膨出する径が前記の集塵袋における膨出集塵部の径の倍径となるよう構成されて、取り付け部の径はφ３３０ｍｍで、前記膨出集塵部の長手方向の長さが３ｍの前記の集塵袋と同等の内部表面積を有するものとし、
前記筒状をなす取り付け部の外周からは、前記膨出集塵部の外周に向かって張り出す様連結された肩口部が形成され、かつ前記筒状をなす取り付け部の、前記送風機の排気口に取り付けられる端部の反対側である他端部からは前記膨出集塵部の内部において、送風方向に向かって筒状に延出する吹き返し防止筒が設けられた、
ことを特徴とする吹き返し防止部付き集塵袋。
【請求項２】
前記肩口部は、筒状をなす取り付け部の外周から膨出集塵部の外周に向かって集塵袋の内径が徐々に広がり、斜めにカットされた形状になる様形成された、
ことを特徴とする請求項１記載の吹き返し防止部付き集塵袋。
【請求項３】
前記集塵袋は、２ミクロンの大きさの粉塵を捕集できる程度に目が細かい通気シートを使用したものである、
ことを特徴とする請求項１または請求項２記載の吹き返し防止部付き集塵袋。
【発明の詳細な説明】
【技術分野】
【０００１】
本発明は、集塵した粉塵の吹き返し防止部を有する集塵袋に関するものである。
【背景技術】
【０００２】
建築現場、土木現場等において、ハツリ工事やサンダー掛け等、切削・切断・研磨作業時には必ず粉塵が発生する。そして、この粉塵を集塵するため、例えば送風機の排気口側に集塵袋を固定して、前記の粉塵を集塵する、いわゆる集塵装置が存在する。
【０００３】
ここで、従来、例えば、２ミクロン程度の粉塵等に対して、７０%程度の粉塵捕集率を得るには、集塵袋につき比較的通気性シートの目が細かいものを使用しなければならない。そして、この場合、送風機から送り込まれる風が前記通気性シートからスムーズに抜ける様構成するためには、前記送風機が略φ３００程度の場合は集塵袋の直径を例えばφ３３０程度とすると、全長を３ｍ以上としなければならなかった。
【０００４】
ところで、一直線上に３ｍ以上のスペースを確保できない前記建築現場あるいは土木現場においては、前記３ｍ以上の長さを必要とする集塵袋の使用はきわめて難しい。
そして、集塵袋の全長を短くしたものも存在するが、全長を短くした場合には、通気性シートの目を粗くしなければならず、そのため粉塵捕集率が低くなってしまう。
【０００５】
ここで、粉塵捕集率を下げずに集塵袋の全長を半分の例えば、１．５ｍ程度にするためには、前記集塵袋の直径を倍の太さ（例えばφ６６０程度）にして表面積を同等にする必要がある。
【０００６】
しかしながら、送風機の送風口の径と、該送風口に取り付けられる集塵袋の径が異なることで、集塵袋の長手方向の後端部に吹き付けられた送風機の風が集塵袋内部を回り込み、集塵袋が目詰まりを起こす前に逆流し、送風機の吸い込み口より粉塵が漏れ出ることもあり、この現象により集塵量の低下をもたらすものとなっていた。
【０００７】
また、従来より各種の集塵袋も提案されているが、いずれの集塵袋も一直線上に例えば３ｍのスペースを確保できない建築現場あるいは土木現場においてスムーズに、かつ確実に集塵できる集塵袋の提案ではなかった。
【先行技術文献】
【特許文献】
【０００８】
【特許文献１】特開平１１−１３８３３２号公報
【特許文献２】特許第３９１６８９３号公報
【特許文献３】特許第３９５５０７０号公報
【発明の概要】
【発明が解決しようとする課題】
【０００９】
本発明による集塵袋は、前記従来の課題を解消するために創案されたものであり、一直線上に例えば３ｍのスペースを確保できない建築現場あるいは土木現場においてもスムーズに、かつ確実に集塵できる集塵袋を提供することを目的とするものである。
【課題を解決するための手段】
【００１０】
本発明の吹き返し防止部付き集塵袋は、
送風機の排気口に取り付けられる筒状をなす取り付け部と、前記送風機により吸引された粉塵を集塵すると共に送風された風は通過させるべく送風方向に所定の長さを備えた円筒状に膨出する膨出集塵部と、を備え、前記取り付け部の径はφ３３０ｍｍで、前記膨出集塵部の長手方向の長さが３ｍの集塵袋において、
膨出集塵部は、送風方向の長さが前記の集塵袋における膨出集塵部の長さの半分長とされ、かつ膨出する径が前記の集塵袋における膨出集塵部の径の倍径となるよう構成されて、取り付け部の径はφ３３０ｍｍで、前記膨出集塵部の長手方向の長さが３ｍの前記の集塵袋と同等の内部表面積を有するものとし、
前記筒状をなす取り付け部の外周からは、前記膨出集塵部の外周に向かって張り出す様連結された肩口部が形成され、かつ前記筒状をなす取り付け部の、前記送風機の排気口に取り付けられる端部の反対側である他端部からは前記膨出集塵部の内部において、送風方向に向かって筒状に延出する吹き返し防止筒が設けられた、
ことを特徴とし、
または、
前記肩口部は、筒状をなす取り付け部の外周から膨出集塵部の外周に向かって集塵袋の内径が徐々に広がり、斜めにカットされた形状になる様形成された、
ことを特徴とし、
または、
前記集塵袋は、２ミクロンの大きさの粉塵を捕集できる程度に目が細かい通気シートを使用したものである、
ことを特徴とするものである。
【発明の効果】
【００１１】
本発明による集塵袋であれば、一直線上に例えば３ｍのスペースを確保できない建築現場あるいは土木現場においてスムーズに、かつ確実に、すなわち、粉塵捕集率を下げずに確実に集塵することができるとの優れた効果を奏する。
【図面の簡単な説明】
【００１２】
【図１】本発明の集塵袋の構成を説明する説明図（１）である。
【図２】本発明の集塵袋の構成を説明する説明図（２）である。
【図３】本発明の集塵袋の構成を説明する説明図（３）である。
【図４】本発明の集塵袋の構成を説明する説明図（４）である。
【図５】本発明の集塵袋の構成を説明する説明図（５）である。
【図６】本発明の集塵袋の構成を説明する説明図（６）である。
【図７】本発明の集塵袋の構成を説明する説明図（７）である。
【図８】従来の集塵袋の構成を説明する説明図である。
【図９】集塵袋を使用して集塵した結果を示す説明図である。
【発明を実施するための形態】
【００１３】
以下、本発明を図に示す実施例に基づいて説明する。
【００１４】
図において、符号１は送風機を示す。そして、この送風機１の排気口２には集塵袋３が取り付けられる。
【００１５】
しかして、この集塵袋３は、例えば、２ミクロン程度の大きさの粉塵等に対して、約７０%程度の粉塵捕集率が得られる比較的通気性シートの目が細かい部材で、例えばポリエステルなどの合成樹脂などが使用される。
【００１６】
また、この集塵袋３は、前記送風機１の排気口２に取り付けられる取り付け部４と、前記送風機１により吸引された粉塵を集塵すると共に送風された風は内部を通過させるべく送風方向に所定の長さを備えた略円筒状に膨出する膨出集塵部５とを備えて構成される。
【００１７】
ここで、従来の集塵袋（図８）は、送風機１の排気口２に取り付けられる取り付け部４の径は略φ３３０程度で、しかも膨出集塵部５の長手方向の長さは３ｍ以上を必要としていたのは既に述べたとおりである。
【００１８】
しかしながら、一直線上に３ｍほどのスペースを確保できない前記建築現場あるいは土木現場は数多く存在しており、そのため本件発明が創案されるに至った。
【００１９】
しかして、本発明の膨出集塵部５は、長手方向、すなわち送風方向の長さが、従来の略半分の長さに設定される。そして、該膨出集塵部５が膨出したときの径は、従来の集塵袋の径の略２倍の径となるように構成してある。これにより、膨出集塵部５の内部の表面積を従来の集塵袋と略同等のものとすることが出来、略同等の粉塵捕集率を得ることが出来る。
【００２０】
ここで、本発明の集塵袋３の取り付け部４から膨出集塵部５に向かっては、該取り付け部４の外周から膨出集塵部５の外周に向かって外側に張り出す様連結された肩口部６が形成されている。
【００２１】
また、前記取り付け部４の他端部からは前記膨出集塵部５の内部に、送風方向、すなわち長手方向に向かって延出する吹き返し防止筒７が設けられている。
【００２２】
この膨出集塵部５の内部に突設されて張り出す吹き返し防止筒７の長さについては何ら限定されないが、通常２００ｍｍから４００ｍｍ程度の長さが好ましいものとされる。
【００２３】
ここで、該肩口部６の形状を図５乃至図７に示す。図５に示す実施例では、取り付け部４の先端から膨出集塵部５の後端までの長さを１４５０ｍｍにして形成してあるが、その中で取り付け部４の長さは５０ｍｍと短く、また、膨出集塵部５の長さは１４００ｍｍと長くしてある。そして、膨出集塵部５の内部に設けられた吹き返し防止筒７の長さは前記取り付け部４の他端部から２７０ｍｍの長さで送風方向へ向かって延出するよう形成されている。
【００２４】
次に、図６に示す実施例では、取り付け部４の先端から膨出集塵部５の後端までの長さを１５００ｍｍにして形成してあるが、その中で取り付け部４の長さは１００ｍｍとし、また、膨出集塵部５の長さは１４００ｍｍとしてある。そして、膨出集塵部５の内部に設けられた吹き返し防止筒７の長さは前記取り付け部４の他端部から２２０ｍｍの長さで送風方向へ向かって延出するよう形成される。
さらに、図７に示す実施例では、取り付け部４の先端から膨出集塵部５の後端までの長さを１４８０ｍｍにして形成してあるが、その中で取り付け部４の長さは５０ｍｍとし、肩口部６の形成については、取り付け部４の他端部外周から膨出集塵部５の一端側外周に向かって上り勾配を有するよう斜めに張り出す様連結して形成してある。
【００２５】
そして、肩口部６の一端から他端までの長さは２３０ｍｍとして形成し、もって、肩口部６の他端からの膨出集塵部５の後端までの長さは１２００ｍｍ、肩口部６の一端から膨出集塵部５の後端までの長さは１４３０ｍｍとされている。
【００２６】
そして、膨出集塵部５の内部に設けられた吹き返し防止筒７の長さは前記取り付け部４の他端部から２７０ｍｍの長さで送風方向へ向かって延出するよう形成される。
【００２７】
以上において、従来のφ３３０，長さ３ｍの集塵袋を使用した場合と前記図５乃至図７に示す本件発明による集塵袋を使用した場合につき、簡単な集塵試験を行ったところ、図９に示すような結果を得ることが出来た。ここで、集塵量とは送風機による集塵作業から、集塵袋の中で送風の吹き返しが発生するまでの間に、集塵袋内に溜まった粉塵、ここではセメントの量を計測したものである。
【００２８】
しかして、従来版（図８）では、７４．１ｇ、図５の集塵袋では７３．１ｇ、図６の集塵袋では９２．２ｇ、図７の集塵袋では９８．１ｇの捕捉した粉塵の量が確認された。
【００２９】
この結果から、本件発明の集塵袋では、送風の吹き返しが起こるまでに、全長の長さが従来の略半分程度にもかかわらず、従来の集塵袋とほぼ同様かそれ以上の集塵量を得ることが出来たのである。
【００３０】
ところで、図５乃至図７に示す集塵袋は、例えば、図５乃至図７に図示されている形での型紙を一対用意し、それを接続することで簡単に作成することが出来る。尚、内部に設けられる吹き返し防止筒７は取り付け部４内で縫い合わすなどされて接続されるものとなる。
【００３１】
そして、上記のように作成された集塵袋は図１に示す様に、集塵作業が行われると、断面略楕円形状に幅方向に広がって膨出する。従って、狭い現場においては通路を塞いでしまうとの懸念がある。そこで、かかる場合には、図２乃至図４に示す如く縦方向に広がるようにセットすれば通路の妨げにはならない。
【００３２】
しかし、図５，図６に示す集塵袋であると、図４から理解されるように、肩口部６が潰れてしまう。しかし、図７に示す集塵袋では、肩口部６が斜めにカットされて形成されているため、肩口部６が潰れることがなく、きわめて効率のよい集塵作業が行えるものとなる。
【符号の説明】
【００３３】
１     送風機
２     排気口
３     集塵袋
４     取り付け部
５     膨出集塵部
６     肩口部
７     吹き返し防止筒
【図１】
0006384857.tif 000002
【図２】
0006384857.tif 000003
【図３】
0006384857.tif 000004
【図４】
0006384857.tif 000005
【図５】
0006384857.tif 000006
【図６】
0006384857.tif 000007
【図７】
0006384857.tif 000008
【図８】
0006384857.tif 000009
【図９】
0006384857.tif 000010